(57)【要約】【課題】電力制御チャンネルを経て送信される電力制御コマンドの周波数がトラフィックに基づいて変更する。【解決手段】トラフィックがＤＴＸ状態等の他の何らかの理由で少なくとも１つの方向に低速になると、電力制御コマンドの周波数が下げられる。ＢＴＳ及びＰＳの両方が、送信するコマンドの周波数を下げることができる。電力制御コマンドの周波数を変更するのとは別に、電力制御ビットのエネルギーを変更する。従って、標準的なビットエラー比が所望される場合には、電力制御ビットの時間巾を延長しなければならない。システムが周波数分割型及び／又は時分割型でありそして多数のビットの周波数制御コマンドを使用する場合には、周波数の変更に加えて又はそれとは別に、コマンドワードの長さを短縮することができる。電力制御アルゴリズムは、トラフィック接続中に数回変更することができる。【選択図】図７
2007300664.tif 000002
【特許請求の範囲】
【請求項１】
ベースステーション及びパーソナルステーションが無線接続に対する当事者であって、それらの間の動作中に、一方の当事者が他方の当事者の送信電力を変更する電力制御コマンドを送信するようなシステムにおいてデジタル無線リンクに使用される送信電力を制御する方法であって、
第１当事者の送信レートが変化するときに、その新たなレートを第２当事者に通知し、
そのメッセージに応答して、第２当事者は、第１当事者へ送信されるべき電力制御コマンドをその新たなレートに従うように変更し、そして
第１当事者は、それ自身の電力制御コマンドの受信を新たなレートに従うように変更する、
という段階を備えたことを特徴とする方法。
【請求項２】
第２当事者の転送レートが変化するときに、
第１当事者は、第２当事者へ送信されるべき電力制御コマンドを変更し、そして
第２当事者は、それ自身の電力制御コマンドの受信を変更する、
という段階を含む請求項１に記載の方法。
【請求項３】
電力制御コマンドは、電力制御コマンドで形成され、第１当事者の送信レートが低速になったときは、第２当事者が第１当事者へ送信されるべき電力制御コマンドの周波数を下げ、そして対応的に、送信レートが高くなったときには、第２当事者が電力制御コマンドの周波数を上げる請求項１に記載の方法。
【請求項４】
電力制御コマンドは、多数のビットの電力制御コマンドで形成され、第１当事者の送信レートが下がったときは、第２当事者が電力制御コマンドの長さを短縮し、そして対応的に、送信レートが高くなったときは、第２当事者が電力制御コマンドの長さを延長する請求項１に記載の方法。
【請求項５】
電力制御コマンドは、電力制御コマンドで形成され、第１当事者の送信レートが下がったときは、第２当事者が第１当事者へ送信されるべき電力制御コマンドのエネルギーを低下させ、そして対応的に、第１当事者の送信レートが高くなったときは、第２当事者が電力制御コマンドのエネルギーを増加する請求項１に記載の方法。
【請求項６】
第１当事者の送信レートの変化は、その目的に指定された送信フレームのフィールドに表示される請求項１に記載の方法。
【請求項７】
各送信レートに対して個々の送信フレームがあるシステムにおいて、第１当事者の送信レートの変化が、その新たな送信レートに直接対応するように送信フレームの構造を変更することにより表示される請求項１に記載の方法。
【請求項８】
電力制御コマンドは、迅速な状態と低速な状態を有し、低速な状態は、コマンドを受ける当事者の送信がＤＴＸ状態にあるときに使用される請求項１又は２に記載の方法。
【請求項９】
電力制御コマンドは多数の状態を有し、従って、ある当事者の送信レートが変化するときに、その反対の当事者がこれら状態の１つで電力制御コマンドを送信する請求項１又は２に記載の方法。
【請求項１０】
電力制御コマンドが変化するときに、送信器の電力制御ステップのサイズも変更される請求項１又は２に記載の方法。
【請求項１１】
１つの方向の電力制御コマンドは、反対の転送方向の負荷に逆比例するように変更される請求項１又は２に記載の方法。
【発明の詳細な説明】
【技術分野】
【０００１】
本発明は、ベースステーションとパーソナルステーションとの間の送信電力を無線通信中に制御するシステムに係る。より詳細には、本発明は、セルラーネットワークに使用する方法であって、電力制御コマンドをパーソナルステーションへ送信しそしてパーソナルステーションからベースステーションへ送信するような方法に関する。
【背景技術】
【０００２】
全てのセルラーシステムでは、パーソナルステーションとベースステーションとの間の距離に関わりなく充分な信号対雑音比でベースステーションに到達するように少なくとも送信のためのパーソナルステーションの送信電力を制御できねばならない。電力送信は、ＣＤＭＡ（コード分割多重アクセス）システムを一例として使用して以下に説明する。図１はＣＤＭＡ順方向送信チャンネルを示す。
【０００３】
これは、次のコードチャンネル、即ちパイロットチャンネル、１つの同期チャンネル、１ないし７のページングチャンネル、及び６１以下のトラフィックチャンネルを含む。同期チャンネルに加えて１つのページングチャンネルしかないときに最大数となる。各コードチャンネルは、ランダムノイズシーケンスの直角位相対を使用することにより直交方向にハッシュされ、従って、分散される。ベースステーションでは、多数の順方向トラフィックＣＤＭＡチャンネルが周波数分割マルチプレクスにより使用される。図１に示す構造は、１９９４年９月２３日のプロポーズドＣＤＭＡ ＰＣＳスタンダード、ジョイント・テクニカル・コミッティー（ＪＴＣ）に提出されたものである。この提案は、ＩＳ−９５の名前でも知られている。この規格に基づくＣＤＭＡシステムについて以下に説明するが、本発明は、いかなる種類のシステムにも適している。
【０００４】
非変調の拡散スペクトル信号はパイロットチャンネルに連続的に送信され、そしてＰＳ（パーソナルステーション）により同期をとるのに使用される。
【０００５】
エンコードされ、インターリーブされた拡散及び変調拡散スペクトル信号は、同期チャンネルに送信される。パーソナルステーションは、この信号を使用して予めの時間同期を達成する。チャンネルビットレートは１２００ｂｐｓであり、そしてフレーム時間巾は２６．６６６ｍｓである。電力制御コマンドを中継するサブチャンネルは同期チャンネルに含まれてはならない。
【０００６】
エンコードされ、インターリーブされた拡散及び変調拡散スペクトル信号は、ページングチャンネルに送信される。データレートは９６００又は４８００ｂｐｓであり、そしてフレーム時間巾は２０ｍｓである。ベースステーションは、ページングチャンネルを使用して、オーバーヘッド情報及びパーソナルステーション特有の情報を送信する。これらチャンネルの数は、１つのＣＤＭＡ順方向トラフィックチャンネルにおいて変化するが、最大数は７チャンネルである。
【０００７】
トラフィックチャンネルは、ユーザ及び信号情報をＰＳ（パーソナルステーション）に送信するのに使用される。１つのＣＤＭＡトラフィックチャンネルによりサポートされる同時順方向トラフィックチャンネルの最大数は、１つの同じＣＤＭＡトラフィックチャンネルで動作するコール及び同期チャンネルの数を６３から引いた数である。
【０００８】
フレーム構造自体は、順方向トラフィックチャンネル及び逆方向トラフィックチャンネルの両方について同じである。情報はフレームとして送信され、その長さは２０ｍｓである。ベースステーション及びパーソナルステーションは、変化するデータレートで情報を送信できる。レートセット１を使用するときのデータ転送レートは、各々９６００、４８００、２４００及び１２００ｂｐｓであり、一方、異なるレートにおける対応フレームビット数は、各々１９２、９６、４８及び２４ビットである。レートセット２を使用するときには、データ転送レートは、各々、１４４００、７２００、３６００及び１８００ｂｐｓであり、一方、それに対応するフレームビット数は、２８８、１４４、７２及び３６ビットである。フレームビットは、情報ビット、フレーム質指示ビット、及びエンコーダテイルビットにより形成される。重要なことは、両方向に、トラフィックフレームの構造が異なる転送レートにおいて異なり、従って、フレーム構造を識別するときに、転送レートも分かることである。
【０００９】
低いデータレートで転送される変調記号は、低いエネルギーでも送信される。
【００１０】
しかし、データレートはフレームごとに変化するが、記号変調レートは一定に保たれる。記号当たりのエネルギーＥs及び情報ビット当たりのエネルギーＥbを入力するときは、規格に基づく次のテーブル１が適用される。
【００１１】
テーブル１                  
データレート      変調記号当たりのエネルギー
９６００              Ｅs＝Ｅb／２
４８００              Ｅs＝Ｅb／４
２４００              Ｅs＝Ｅb／８
１２００              Ｅs＝Ｅb／１６
１４４００            Ｅs＝Ｅb／４
７２００              Ｅs＝Ｅb／８
３６００              Ｅs＝Ｅb／１６
１８００              Ｅs＝Ｅb／３２        
【００１２】
各順方向トラフィックチャンネルは、通信中にパーソナルステーションに電力制御コマンドを送信するのに使用される電力制御サブチャンネルを含む。それに応答して、パーソナルステーションは、その送信電力を変更する。電力制御チャンネルは、提案された仕様書の第３．１．３．１．８項に規定されている。
【００１３】
ベースステーションは、受信したパーソナルステーション信号から、常に１．２５ｍｓの間隔で信号電力を計算し、この時間は１６個の変調記号に対応する。
【００１４】
信号電力で判断して、ベースステーションは、送信電力を増加又は減少するようにパーソナルステーションに指令する。従って、パーソナルステーションと、ベースステーションと、それらの間の両方向無線チャンネルとを備えた大きな電力制御ループが形成される。又、ベースステーションは、それがパーソナルステーションから受信した電力測定レポートに対応するようにそれ自身の送信電力も制御する。これは、パーソナルステーションがフレームエラーに関する統計情報を常に保持し、そして電力測定レポートを定期的に又はあるスレッシュホールドを越えたときに送信するからである。
【００１５】
電力制御サブチャンネルは、通常のトラフィックチャンネルビットの間に電力制御ビットが常に送信されるように形成される。電力制御ビットは、１．２５ｍｓの間隔で繰り返される。従って、電力制御チャンネルのビットレートは、８００ｂｐｓである。ビット０は、パーソナルステーションがその送信電力を増加しなければならないことを意味し、そして対応的に、ビット１は、送信電力を低下するためのコマンドを意味する。ビットは、変調記号から形成された畳み込みコード化及びインターリーブフレームである完成したトラフィックフレームから、２つの次々の変調記号が規則的な間隔で除去されそしてそれらが電力制御ビットに置き換えられるように、フレームに配置される。従って、１つの電力制御ビットの時間巾は、１０４．１６６ｍｓである。その手順は、この分野で一般的に知られており、記号パンクチャリング(puncturing)と称される。パンクチャリング指数は、どの記号がフレームから除去されそして電力制御ビットと置き換えられるかを示す。電力制御ビットは、エネルギ−Ｅbで送信される。
【００１６】
パーソナルステーションは、電力制御ビットを受信すると、ビットで指示された方向にその送信電力を増加又は減少する。電力制御ビットは、１．２５ｍｓのタイムスロット内に受信された場合には、本物と見なされ、このタイムスロットは、パーソナルステーションが送信したタイムスロットから数えて２番目のタイムスロットである。電力レベルの変化は小さなステップであり、規格では１ビットが電力レベルを１ｄＢだけ変化させると決定されている。従って、電力レベルの大きな変化は、多数の電力制御ビットの送信を必要とする。
【００１７】
ＦＤＤ／ＴＤＭＡシステムで行われるように、ＣＤＭＡシステムには、ＴＤＸ（不連続送信）も使用される。より広い意味では、ＤＴＸは、情報が一方向のみに転送され、そして確認が逆方向に転送されるような非対称的なケースも含む。
【００１８】
インターネット接続は、このような状態の一例である。電力制御コマンドは、たとえ当事者が情報を時々送信するだけであっても、公称周波数で受信者へ送信される。
【００１９】
異なる方法でＤＴＸ状態に入ることができる。第１に、パーソナルステーションが、必要なデータ転送レートが低下することを発見すると、先ず、それに続く無線フレームに使用されるべきデータレートに関する情報をベースステーションへ送信し、そして次のフレームから、それが示すレートを使用する。第２に、パーソナルステーションは、更なる問題を伴わずに接続中に転送レートを変更することができる。上記したように、フレーム構造は異なる転送レートで変化するので、フレーム構造が識別されるときに、使用される転送レートが分かるために、ベースステーションはフレーム構造から転送レートを学習する。
【００２０】
ここに示すＣＤＭＡシステム及び他の既知のＣＤＭＡシステムでは、１つ又は多数のビットの電力制御コマンドが常に同一の標準的な周波数及びエネルギーで送信されるという問題がある。電力制御は、送信電力が無線経路の変化にできるだけ厳密に合致するように高速である。更に、電力制御コマンドは、順方向及び逆方向の両方に同じ周波数で送信され、従って、電力制御は、使用する転送レート、データ転送の非対称性、或いはいずれかの当事者がＤＴＸ状態にあることによって影響を受けない。その結果、ＤＴＸ状態において、減少されたデータ転送レートを使用するときには、電力制御が、無線リンク容量の不当に大きな割合を使用する。
【発明の開示】
【発明が解決しようとする課題】
【００２１】
そこで、本発明の目的は、ＤＴＸ状態において減少されたデータ転送レートでの他の使用に無線リンク容量を解放するように、データ転送状態に適応する電力制御方法を提供することである。
【課題を解決するための手段】
【００２２】
この目的は、独立請求項に記載した方法により達成される。
【００２３】
ここに提案する方法によれば、電力制御チャンネルに送信されるべき電力制御コマンドの周波数は、トラフィックに基づいて変更される。トラフィックがＤＴＸ状態、低い転送レート、非対称データ転送又は他の理由で少なくとも一方向に低速となったときには、電力制御コマンドの周波数が下げられる。ベースステーション及びパーソナルステーションの両方は、それらが送信するコマンドの周波数を下げることができる。又、データを送信する必要性があまりないか又は全く送信しない当事者は、電力制御コマンドをめったに送信しないようにすることもでき、一方、この同じ当事者自体は、高いレートで情報を受け取る場合には通常の周波数で、或いは受信レート（他の当事者の送信レート）が減少された場合には低い周波数で、電力制御コマンドを送信する。
【００２４】
電力制御コマンドの周波数を変更するのとは別に、電力制御ビットのエネルギーを変更する。受信される電力制御ビットのビットエラー比を一定に保つことが所望される場合には、電力制御ビットの時間巾を延長しなければならない。というのは、受信器は、ビットを確実に表すことができるように長い時間にわたってエネルギーを収集しなければならないからである。ビットエラー比の増加が受信において許される場合には、たとえそのエネルギーが減少されても、電力制御ビットの時間巾を一定に保つことができる。後者のケースの利点は、受信器において変更を行う必要がないことである。
【００２５】
システムが時分割式でありそして多数のビットの周波数制御コマンドがそこに使用される場合には、周波数の変更に加えて又はそれとは別に、コマンドワードの長さを短縮することができる。
【００２６】
低下電力制御は、電力制御のように変化する環境に迅速に適合しないので、制御される送信器の送信電力にエラーを招くことがある。このため、低速電力制御により生じるエラーは、電力制御ステップのサイズを迅速電力制御ステップのサイズ以上に増加することにより補償することができる。
【発明を実施するための最良の形態】
【００２７】
以下、添付図面を参照して本発明を詳細に説明する。
図２は、ＣＤＭＡシステムにおけるパーソナルステーションＰＳとベーストランシーバステーションＢＴＳとの間のトラフィック接続を示す。電力制御コマンドに関しては、データ転送が、ここでは既知の技術に基づいて行われ、従って、順方向チャンネルでは、ベースステーションが電力制御コマンドを情報ビットの流れの中で標準的な周波数で送信する。明瞭化のため、情報は、ここでは大きな矢印で示され、一方、電力制御コマンドは、小さな矢印で示される。対応的に、逆方向チャンネルでは、パーソナルステーションＰＳが電力制御コマンドを情報ビットの流れの中で標準的な周波数で送信する。前記で述べたように、既知のシステムでは、情報転送レートに関わりなく又はいかなる情報が送られるかに関わりなく、電力制御コマンドは、逆方向チャンネル及び順方向チャンネルの両方において標準的な周波数で送信される。しかし、ここに提案する方法では、あまり送信を必要としない又は全く送信を行わない当事者へ送信される電力制御コマンドの周波数が減少される。
【００２８】
図３は、ベーストランシーバステーションＢＴＳがパーソナルステーションに情報を送信するが、パーソナルステーションは、ベーストランシーバステーションに情報を送信しないケースを示す。従って、逆方向チャンネルがＤＴＸ状態にある。従って、その情報レートは低であり、そしてチャンネルの送信電力要求及び同様にその受信電力は低である。このような状態は、パーソナルステーションがインターネット接続にあるときに非常に有用であり、従って、主たる情報の流れはネットワークからパーソナルステーションへである。パーソナルステーションが上位レイヤの確認等を時々送信するだけであるときは、僅かな情報が逆方向チャンネルに送信されるだけであるから、パーソナルステーションの送信電力を迅速に制御する必要はない。このため、パーソナルステーションに送信されるべき電力制御コマンドの周波数が本発明により減少される。これは、１つおきの電力制御コマンドを省略することにより図示されており、従って、破線で形成された矢印は、省略されたコマンドを示している。他方、電力制御コマンドは、逆方向チャンネルに頻繁に、例えばシステムの公称周波数で送信されねばならない。
【００２９】
というのは、パーソナルステーションは、多くの情報を送信するベースステーションの送信を制御しなければならないからである。
【００３０】
図４は、パーソナルステーションが情報をベーストランシーバステーションＢＴＳに送信するが、ベースステーションはパーソナルステーションに情報を送信しないケースを示す。従って、順方向チャンネルがＤＴＸ状態にある。このような状態は、パーソナルステーションがファックス又はファイルをネットワークに向けて送信するときに非常に有用である。本発明によれば、逆方向チャンネルを経てベースステーションへ送信されるべき電力制御コマンドに関して周波数がここで減少される。これは、１つおきの電力制御コマンドを省略することにより図示されており、従って、省略されたコマンドは、破線で形成された小さな矢印で指示されている。他方、電力制御コマンドは、順方向チャンネルに頻繁に、例えばシステムの公称周波数で送信される。というのは、ベースステーションは、多くの情報を送信するパーソナルステーションの送信を制御しなければならないからである。
【００３１】
上記のケースは、逆方向チャンネル又は順方向チャンネルがＤＴＸ状態にある場合に関する。本発明の方法は、データ転送が非対称的であって、両方向に転送がなされるが、そのレートは１つの方向が他の方向より高い場合にも使用することができる。従って、電力制御コマンドの送信周波数は、あまり情報が送られないリンクの方が高い。このようなケースが図５に示されている。逆方向チャンネルには順方向チャンネルよりも僅かな情報しか送信されず、従って、電力制御コマンドは、逆方向チャンネルの方が順方向チャンネルよりも高い周波数で送信される。
【００３２】
又、本発明の方法は、転送レートが通信中に１つの方向又は両方向に変化するようなデータ転送に使用するのにも適している。従って、１つの方向に送信される電力制御コマンドの送信周波数は、逆方向のデータ転送レートの変化に比例して制御される。
【００３３】
電力制御コマンドの送信周波数を下げることにより無線チャンネルのリソースが解放されるケースは、既に述べた。同じ結果が別の方法でも得られる。
【００３４】
１つの別の方法は、コマンドワードが多数のビットで形成されるシステムにおいてコマンドワードの長さを短縮することである。このようなシステムは、時分割及び／又は周波数分割システムである。
【００３５】
更に別の方法は、個々の電力制御ビットのエネルギーを制御することである。
【００３６】
例えば、１つの方向にＤＴＸ状態へと変化するときには、逆方向に送信されるべき電力制御ビットのエネルギーが下げられる。受信される電力制御ビットのビットエラー比を一定に保持することが所望される場合には、電力制御ビットの時間巾を延長しなければならない。というのは、受信器は、ビットを確実に表すことができるように長い時間にわたってエネルギーを収集しなければならないからである。ビット時間巾は、それを多数の部分で送信することにより拡張される。この別のやり方は、プロポーズドＣＤＭＡ ＰＣＳスタンダード、ジョイント・テクニカル・コミッティー（ＪＴＣ）によるシステムにおいて特に好都合である。
【００３７】
というのは、送信器において変更を行う必要がなく、必要な変更は電力制御アルゴリズムに限定されるからである。ビットエラー比の増加が受信に許される場合には、たとえエネルギーが減少されても、電力制御ビットの時間巾が一定に保たれる。このケースは、受信器において変更を行う必要がないという利点がある。
【００３８】
図６ａ−６ｃは、提案された方法の実施の仕方を示す。これらの図は、時間の関数として送信エネルギーを示している。図６ａは、電力制御コマンドを情報の流れにおいて標準的な周波数で、且つ情報記号が送信されるのと同じエネルギーＥbで送信する現状の方法を示す。
【００３９】
図６ｂは、電力制御コマンドの送信周波数は低下されるが、それらの送信エネルギーＥbは情報と同じである本発明の方法の実施形態を示す。
【００４０】
図６ｃは、電力制御ビットのエネルギーが情報記号の送信エネルギーＥbより小さくなるように減少される実施形態を示す。従って、電力制御ビットの時間巾は、ビット、例えば、ビットａを２つの部分において送信することにより拡張される。従って、１つの電力制御ビットが長い時間中に受信され、従って、受信器は、電力制御ビットを確実に表すことができる。
【００４１】
図７は、パーソナルステーションＰＳ及びベーストランシーバステーションＢＴＳにおける幾つかの考えられる事象のブロック図である。ＰＳ及びＢＴＳは、最初に、通常の即ち迅速な電力制御を使用して通信していると仮定する。パーソナルステーションＰＳは、その必要なデータ転送レートが低下することを通知するときに（ステップ７１１）、それが必要とする低いデータ転送レートに関する情報をトラフィックフレームに入れ、そしてそのフレームを無線インターフェイスを経てベースステーションＢＴＳに送信する（ステップ７１２）。情報は、例えば、パーソナルステーションの送信、即ち逆方向チャンネル、その受信、即ち順方向チャンネルのみに関連してもよいし、又は両方向に関連してもよい。従って、情報は、さし当たり逆方向チャンネルに何も送信されず、ひいては、パーソナルステーションがこのチャンネルにおいてＤＴＸ状態にあることを通知する。
【００４２】
ベースステーションは、新たな転送レートに関する情報を、それが受信したフレームから分離し（ステップ７１３）、そしてその電力制御プロセスをその変更された転送レートに基づいて変更する（ステップ７１４）。逆方向チャンネルがＤＴＸ状態である場合には、電力制御コマンドを減少されたエネルギーでかろうじて送信するか、又はコマンドワードの長さを短縮する。その前に、パーソナルステーションは、それ自身の電力制御をその変更されたデータ転送レートに適合させ、従って、それが受信したフレームから電力制御コマンドを正しく取り上げることができる。同様に、ベースステーションの送信レートに適合する本発明のやり方でベースステーションに電力制御コマンドを送信することができる。
【００４３】
データ転送レートは、通信の終わりまで同じままであってもよいし、又は再び変更されてもよい（ステップ７１６）。後者の場合には、ステップ７１１へ復帰し、そこから上記のように処理することを意味する。従って、通常のデータ転送レート又は他の低いレートを再び使用し始めるか又は切断することができる。破線は、切断の際に必要とされるＰＳとＢＴＳとの間の信号を示す。
【００４４】
図８は、図７と同じであるが、規格提案書ＩＳ−９５に基づくシステムに適応された主たる特徴を示している。相違点は、この規格によれば、トラフィックフレームの構造が異なる転送レートにおいて異なるので、パーソナルステーションは、変更された転送レートを別々に通知する必要がないことである。更に問題を伴うことなく、新たな転送レートに基づくフレーム構造を使用し始める（ステップ８１２）。受信したフレームの構造から、ベースステーションは、新たな転送レートを識別し（ステップ８１３）、そしてその電力制御を本発明に従うように変更する（ステップ７１４）。又、パーソナルステーションは、それ自身の電力制御を変更し（ステップ７１４）、これにより、オペレーションは、本発明による方法を用いて続けられる。図７について説明したように、通信中に、電力制御が再び変更されてもよいし、又はその変更された電力制御を切断まで使用してもよい。
【００４５】
図７及び８に関連して、パーソナルステーションが変更を開始するが、ベースステーションが開始して、新たなレートをパーソナルステーションに通知してもよく、従って、その両方が新たな状態に基づいて電力制御アルゴリズムを変更することが提案される。又、パーソナルステーション及びネットワークは、オペレーションが開始する前に交渉するか、又はオペレーション中にレートについて合意しそして合意に達すると、それに応じてそれらの電力制御アルゴリズムを設定することもできる。
【００４６】
ここに提案する方法に基づき電力制御コマンドの周波数又はエネルギーが計算されるときには、リンクの要件Ｅb／Ｎo（受信信号のエネルギー／ノイズのエネルギー）が、電力制御コマンドが高い周波数で送信される場合に比して高くなる。これは、低速の電力制御では全ての信号変化に追従できないからである。しかしながら、Ｅb／Ｎo要件の増大は非常に僅かであり、この増大に関わりなく全利益が得られるようにシステムの大きさが決められる。又、ＤＴＸ接続に必要な受信電力は、活動的なユーザの受信電力より非常に小さいので、低速の電力制御により生じる僅かなエラーは重要なものでないことにも注意されたい。更に、電力制御コマンドにより生じる送信器電力ステップの変化を増加することによりエラーを補償することができる。
【００４７】
ここに提案する方法は、請求の範囲に包含される多数のやり方で実施することができる。例えば、ベースステーションのみが、電力制御周波数、又はそれが送信する電力制御ビットのエネルギーを変更し、一方、パーソナルステーションが常に同様に機能することができる。従って、本発明は、ＩＳ−９５システムにおいて容易に実施することができる。あるパーソナルステーションには本発明による特徴が与えられ、そして上記仕様書に基づく迅速電力制御をもつパーソナルステーションは、たとえ電力制御コマンドが低い周波数で到着しても通常の仕方で動作するようにしてもよい。パーソナルステーションは、例えば１つおきの電力制御コマンドが到着しないことに注意するだけである。
【００４８】
ある場合には、電力制御周波数又は電力制御ビットのエネルギーが逆の転送方向の負荷に逆比例して変更される。例えば、ある瞬間に、ほとんどのオペレーションが順方向チャンネルにおいて行われ即ちベースステーションからパーソナルステーションへと行われ、そして逆方向チャンネルに僅かなトラフィックしかない場合には、逆方向チャンネルの電力制御周波数を低く保つことができる。この状態は、例えば、５つのパーソナルステーションがネットワークからの情報を同時に受信する一方、ネットワークの方向に１つしか送信しない場合である。
【図面の簡単な説明】
【００４９】
【図１】図１は、ＣＤＭＡシステムの無縁チャンネルを示す図である。
【図２】図２は、既知の電力制御を示す図である。
【図３】図３は、ＤＴX状態において逆方向チャンネルリンクでの電力制御を示す図である。
【図４】図４は、ＤＴＸ状態において順方向チャンネルリンクでの電力制御を示す図である。
【図５】図５は、非対称的転送における電力制御を示す図である。
【図６】図６ａ−６ｂは、異なるケースにおいて時間の関数として送信エネルギーを示す図である。
【図７】図７は、考えられる実施形態のブロック図である。
【図８】図８は、実施形態のブロック図である。
【図１】
2007300664.tif 000003
【図２】
2007300664.tif 000004
【図３】
2007300664.tif 000005
【図４】
2007300664.tif 000006
【図５】
2007300664.tif 000007
【図６】
2007300664.tif 000008
【図７】
2007300664.tif 000009
【図８】
2007300664.tif 000010